(57)【要約】【課題】  高い枝先に生った果実の収穫が、安全に且つ簡単に出来るようにした鋏み付き収穫用竿袋を提供する。【解決手段】  貫通した穴を有する竿５の先に、果実の収穫器３７を持つ竿袋であって、ジョイント部９と収穫器３７の基部の胴竿先端部３５近くに、収穫用鋏み２１と２９を設け、胴竿５を押す力、引く力、又は手元操作部７を捻った時に発生する力を使って、果実を枝先から切り取り収穫袋３２へ取り込むことを特徴とする。【選択図】図１
2007202537.tif 000002
【特許請求の範囲】
【請求項１】
貫通した穴を有する竿の先に収穫器と収穫袋を設けたものであって、その貫通した竿の内部で手元操作部と収穫器を連動棒で繋ぐことで、手元操作部を捻ると収穫器に設けられた鋏みで枝先になった果実を切り取り、収穫袋に取り込むことを特徴とする鋏み付き収穫用竿袋。
【請求項２】
前記収穫用の鋏は、収穫器の上部及び下部のジョイント部近くに設けており、開閉は、竿を押しても又は引いても行なうことができることを特徴とする、請求項１記載の鋏み付き収穫用竿袋。
【請求項３】
前記収穫袋は、収穫器の骨材に収穫袋の耳の部分を被せ、柔軟性のある袋留めバンドで固定している為、着脱が簡単に出来ることを特徴とする、請求項１記載の鋏み付き収穫用竿袋。
【発明の詳細な説明】
【技術分野】
【０００１】  本発明は、高い枝先に生った果実を収穫するための、鋏み付き収穫用竿袋に関すものである。
【背景技術】
【０００２】  高い枝先になった柿を収穫するとき、果樹や脚立に登っての作業が多く、幹が裂けて落ちる事故や脚立からの落下事故等が多発しており、果実も枝裂けによる落果や、打ち傷、割れ、蔕はずれ、等で出荷できないものが多く出ていた。
【発明の開示】
【発明が解決しようとする課題】
【０００３】  （イ）太目の針金に袋を取り付けただけの竿袋で、竿を押したり引いたりし
2007202537.tif 000003
ずれ又は、果樹の枝を折るという問題点があった。
2007202537.tif 000004
落下事故が多かった。
本発明は、これらの問題点を解決するためになされたものである。
【課題を解決するための手段】
【０００４】  貫通した穴を有する竿の先に収穫器と収穫袋を設けたものであって、その貫通した竿の内部で手元操作部と収穫器を連動棒で繋ぐことで、手元操作部を捻ると、収穫器に設けられた鋏で枝先になった果実を切り取り、収穫袋に取り込むことができる。【０００５】  前記収穫用の鋏は、収穫器の上部及び下部のジョイント部近くに設けており、開閉は、竿を押しても又は引いても行なうことができる。【０００６】  前記収穫袋は、収穫器の骨材に収穫袋の耳の部分を被せ、柔軟性のある袋留めバンドで固定している為、着脱が簡単にできる。
【発明の効果】
【０００７】  本発明は、果実を収穫する時、竿先につけた収穫器の鋏みで果実を生り口から切り取ることで、打ち傷や落果、或は果実の蔕はずれ、等の不良品を無くすことができる。
また、高い果樹に登る必要もなく、脚立も上段まで登らずに低い位置からの収穫が可能なためバランスを崩しての落下事故を無くすことができる。
【発明を実施するための最良の形態】
【０００８】以下、本発明の実施の形態について説明する。【０００９】  図１，図３，図５に示すように、本収穫器３７と、胴竿５の中を、胴竿先端部３５の辺りから手元操作部７まで通している連動棒１４を、ジョイント部１２で固定ビス１３にて繋ぎ、手元操作部７の、連動棒巻上げドラム２５と連動棒１４を連動棒制御ビス２６にて繋ぐことで、手元操作部７を捻ると収穫器３７に設けた収穫用鋏み２１及び２９が閉じる。【００１０】  図２で示すように収穫用鋏み２１を、収穫器３７の先端のジョイント部９の近くに、収穫用鋏み２９を、収穫器３７基部の胴竿先端部３５近くに設けている。【００１１】  図２で示すように収穫用鋏み２１及び２９が楽に閉じるように骨材の１と３及び２と４をそれぞれ、ジョイント部１１で繋いでいる。【００１２】  図２，図４で示すように胴竿先端部３５は、収穫用鋏み２９と同じ面を平たくすることで、果実を傷つけずに、生り口が収穫用鋏み２９に誘導しやすくしている。【００１３】  図３で示すように胴竿先端部３５の内部に刃幅調整部材２０を設けている。【００１４】  図３，図４に示すように、貫通した胴竿５の中の連動棒１４に、弾性部材制御板３０、弾性部材１７、弾性部材制御板１６の順に通し、弾性部材制御板１６を固定ビス１５で連動棒に固定し、弾性部材制御板３０を連動棒作動制御ビス１９で胴竿５に留めることで、弾性部材１７の反発力で収穫用鋏み２１及び２９の開閉と手元操作部の捻りを元に戻すことができる。【００１５】  図３，図５に示すように、連動棒１４に連動棒作動用くりぬき穴１８及び２７を設けることで胴竿５を押すと、収穫用鋏み２９と連動棒１４が手元操作部７のほうへ押し込まれ収穫用鋏み２９が閉じることになる。【００１６】  図５、図６に示すように手元操作部７の内側に螺旋状の溝２４を施し、その螺旋状の溝２４を、連動棒巻上げドラム２５に付いている突起２８が移動するようにしている為、手元操作部７を捻ると、螺旋状の溝２４を連動棒巻上げドラム２５の突起２８が移動して連動棒１４を引っ張り、収穫用鋏み２１及び２９を閉じ、捻りを戻すと収穫用鋏み２１及び２９が開くことになる。【００１７】  図５で示すように胴竿５と手元操作部７の接合は、胴竿５の継ぎ手部分に磨耗止め６を通し、次に手元操作部７をはめ込んで、手元操作部回転制御穴２３に接合兼手元操作部回転制御ネジ２２で繋ぎ合わせる。【００１８】  図７で示すように収穫袋３２の、閉じ穴３９があけられた耳の部分を収穫器３７の骨材１・２・３・４に被せ、内側と外側の閉じ穴３９を合わせて柔軟性のある袋留めバンド３６の凸部３３に通し、凹部３４で固定する。尚、この柔軟性のある袋留めバンドの凸部の先端部には凹部から簡単に外れないよう、返しを設けている。
本発明は、以上の構成によりなりたっている。
本発明を使用するときは、上記の鋏み付き収穫用竿袋の胴竿５を片手で、もう片方の手で手元操作部７を握り、枝先に生っている果実に収穫器３７を被せ、果実の生り口部分を収穫用鋏み２１か２９の所に誘導する。例えば収穫用鋏み２１に誘導した場合、胴竿５を引っ張っても、手元操作部７を捻ることでも枝から果実を切り取れるし、収穫用鋏み２９に誘導した場合は胴竿５を押すことで、又は手元操作部７を捻ることででも切り取ることが出来る。尚、切りとられた果実は収穫袋３２の中に納まる様にしている。
【図面の簡単な説明】
【００１９】
【図１】本発明に係る鋏み付き収穫用竿袋の一実施の形態を示す全体斜視図である。
【図２】図１の鋏み付き収穫用竿袋の収穫器部分の斜視図である。
【図３】図１の鋏み付き収穫用竿袋の胴竿先端部の横断面図である。
【図４】図１の鋏み付き収穫用竿袋の胴竿先端部の縦断面図である。
【図５】図１の鋏み付き収穫用竿袋の手元操作部分の斜視図である。
【図６】図１の鋏み付き収穫用竿袋の手元操作部分の断面図である。
【図７】図１の鋏み付き収穫用竿袋の収穫袋の斜視図である。
【符号の説明】
【００２０】  １，２，３，４：骨材                ２１：２９：収穫用鋏み
５：胴竿                            ２３：手元操作部回転制御穴
６：磨耗止め                        ２４：螺旋状の溝
７：手元操作部                      ２５：連動棒巻上げドラム
９，１１，１２：ジョイント部        ２８：突起
１３，１５：固定ビス                ３３：反し付き袋留めピン凸部
１４：連動棒                        ３４：袋留めピン凹部
１６，３０：弾性部材制御版          ３５：胴竿先端部
１７：弾性部材                      ３６：柔軟性のある袋留めバンド
１８，２７：連動棒作動用くりぬき穴  ３７：収穫器
１９，２６：連動棒作動制御ビス      ３９：閉じ穴
２０：刃幅調整部材
２２：接合兼手元操作部回転制御ネジ
【図１】
2007202537.tif 000005
【図２】
2007202537.tif 000006
【図３】
2007202537.tif 000007
【図４】
2007202537.tif 000008
【図５】
2007202537.tif 000009
【図６】
2007202537.tif 000010
【図７】
2007202537.tif 000011